【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
画像出力装置で出力する印刷ジョブを処理する印刷処理装置において、
入力した画像データに基づいて印刷画像を生成する印刷画像生成手段と、
前記印刷画像生成手段で生成した印刷画像を加工する印刷画像加工手段と、
前記印刷画像加工手段で加工した印刷画像を添付したジョブエンドシートを生成するジョブエンドシート生成手段と、
前記印刷画像の印刷ジョブを作成する印刷ジョブ作成手段と、
前記印刷ジョブ作成手段で作成した印刷画像の印刷ジョブを前記画像出力装置に送信する印刷ジョブ送信手段と
を具備し、
前記印刷ジョブ送信手段は、
前記画像出力装置で前記印刷ジョブの出力が完了した際に、前記加工した印刷画像を添付したジョブエンドシートの印刷ジョブを該画像出力装置に送信する
ことを特徴とする印刷処理装置。
【請求項２】
前記印刷画像加工手段は、
前記印刷画像生成手段で生成した印刷画像の縮小画像を生成する縮小画像生成手段
を具備し、
前記ジョブエンドシート生成手段は、
前記縮小画像生成手段で生成した縮小画像を添付したジョブエンドシートを生成する
ことを特徴とする請求項１記載の印刷処理装置。
【請求項３】
前記印刷画像加工手段は、
前記印刷画像または前記縮小画像から切出し画像を切り出す画像切出し手段
を具備し、
前記ジョブエンドシート生成手段は、
前記画像切出し手段で切り出した切出し画像を添付したジョブエンドシートを生成する
ことを特徴とする請求項２記載の印刷処理装置。
【請求項４】
前記画像切出し手段は、
前記印刷画像または前記縮小画像から切り出す前記切出し画像の位置、領域、倍率を設定する画像切出し設定手段
を具備することを特徴とする請求項３記載の印刷処理装置。
【請求項５】
前記切出し設定手段が設定する前記切出し画像の位置、領域、倍率を指示する画像切出し設定指示手段
を更に具備することを特徴とする請求項４記載の印刷処理装置。
【請求項６】
前記画像生成手段は、
前記印刷ジョブの予定印刷ページ数を取得する予定印刷ページ数取得手段
を具備し、
前記画像出力装置で前記印刷ジョブの出力が完了した際に保持される結果情報を取得する結果情報取得手段と、
前記結果情報取得手段で取得した結果情報の完了ページ数と、前記予定印刷ページ数取得手段で取得した予定印刷ページ数とを比較する完了ページ数比較手段と
を更に具備し、
前記完了ページ数と前記予定印刷ページ数とが一致である場合、前記印刷ジョブ作成手段は前記ジョブエンドシートの印刷ジョブを作成し、
前記完了ページ数と前記予定印刷ページ数とが不一致である場合、前記印刷ジョブの出力が未完了の旨を警告する
ことを特徴とする請求項１記載の印刷処理装置。
【請求項７】
前記ジョブエンドシートの生成を指示するジョブエンドシート生成指示手段
を更に具備することを特徴とする請求項１記載の印刷処理装置。
【請求項８】
画像出力装置で出力する印刷ジョブを処理する印刷処理方法において、
入力した画像データに基づいて印刷画像を生成し、
該生成した印刷画像の縮小画像を加工し、
該加工した印刷画像を添付したジョブエンドシートを生成し、
前記印刷画像の印刷ジョブを作成し、
該作成した印刷画像の印刷ジョブを前記画像出力装置に送信し、
前記画像出力装置で前記印刷ジョブの出力が完了した際に、前記加工した印刷画像が添付されたジョブエンドシートの印刷ジョブを該画像出力装置に送信する
ことを特徴とする印刷処理方法。
【請求項９】
前記印刷画像を加工する際に、
前記印刷画像の縮小画像を生成し、
該生成した縮小画像を添付したジョブエンドシートを生成する
ことを特徴とする請求項８記載の印刷処理方法。
【請求項１０】
前記印刷画像を加工する際に、
前記印刷画像または前記縮小画像から切出し画像を切り出し、
該切り出した切出し画像を添付したジョブエンドシートを生成する
ことを特徴とする請求項９記載の印刷処理方法。
【請求項１１】
前記切出し画像を切り出す際に、前記印刷画像または前記縮小画像からから切り出す該切出し画像の位置、領域、倍率を設定する
ことを特徴とする請求項１０記載の印刷処理方法。
【請求項１２】
前記切出し画像の位置、領域、倍率の設定を指示する
ことを特徴とする請求項１１記載の印刷処理方法。
【請求項１３】
前記印刷ジョブを前記画像出力装置に送信した際に、
前記印刷ジョブの予定印刷ページ数を取得し、
前記画像出力装置で前記印刷ジョブの出力が完了した際に保持される結果情報を取得し、
該取得した結果情報の完了ページ数と前記予定印刷ページ数とを比較し、
前記完了ページ数と前記予定印刷ページ数とが一致である場合、前記ジョブエンドシートの印刷ジョブを作成し、
前記完了ページ数と前記予定印刷ページ数とが不一致である場合、前記印刷ジョブの出力が未完了の旨を警告する
ことを特徴とする請求項８記載の印刷処理方法。
【請求項１４】
前記印刷画像を生成する際に、前記ジョブエンドシートの生成を指示する
ことを特徴とする請求項８記載の印刷処理方法。
【請求項１５】
画像出力装置で出力する印刷ジョブを処理する印刷処理装置において、
入力した画像データに基づいて印刷画像を生成する印刷画像生成手段と、
前記印刷画像生成手段で生成した印刷画像を加工する印刷画像加工手段と、
前記印刷画像加工手段で加工した印刷画像と前記印刷画像との印刷ジョブを作成する印刷ジョブ作成手段と、
前記印刷ジョブ作成手段で作成した前記印刷画像と前記加工した印刷画像との印刷ジョブを前記画像出力装置に送信する印刷ジョブ送信手段と
を具備し、
前記画像出力装置は、
前記印刷ジョブを出力し、
前記印刷ジョブの出力が完了した際に、該印刷ジョブに含まれる前記加工した印刷画像を添付したジョブエンドシートを生成し、
該生成したジョブエンドシートを出力する
ことを特徴とする印刷処理装置。
【請求項１６】
前記印刷画像加工手段は、
前記印刷画像生成手段で生成した印刷画像の縮小画像を生成する縮小画像生成手段
を具備し、
前記印刷ジョブ作成手段は、
前記縮小画像生成手段で生成した縮小画像と前記印刷画像との印刷ジョブを作成する
ことを特徴とする請求項１５記載の印刷処理装置。
【請求項１７】
前記印刷画像加工手段は、
前記印刷画像または前記縮小画像から切出し画像を切り出す画像切出し手段
を具備し、
前記印刷ジョブ作成手段は、
前記画像切出し手段で切り出した切出し画像と前記印刷画像との印刷ジョブを作成する
ことを特徴とする請求項１６記載の印刷処理装置。
【請求項１８】
前記画像切出し手段は、
前記印刷画像または前記縮小画像から切り出す前記切出し画像の位置、領域、倍率を設定する画像切出し設定手段
を具備することを特徴とする請求項１７記載の印刷処理装置。
【請求項１９】
前記切出し設定手段が設定する前記切出し画像の位置、領域、倍率を指示する画像切出し設定指示手段
を更に具備することを特徴とする請求項１８記載の印刷処理装置。
【請求項２０】
前記ジョブエンドシートの生成を指示するジョブエンドシート生成指示手段
を更に具備することを特徴とする請求項１５記載の印刷処理装置。
【請求項２１】
印刷処理装置で処理した印刷ジョブを出力する画像出力装置において、
前記印刷処理装置から送信された印刷ジョブを受信する印刷ジョブ受信手段と、
前記印刷ジョブに含まれる印刷画像を出力する画像出力手段と、
前記印刷ジョブ受信手段で受信した印刷ジョブに前記印刷処理装置で加工された加工印刷画像が含まれている場合、該印刷ジョブから該加工印刷画像を抽出する抽出手段と、
前記画像出力手段における印刷画像の出力が完了した際に、前記抽出手段で抽出した加工印刷画像を添付したジョブエンドシートを生成するジョブエンドシート生成手段と
を具備し、
前記画像出力手段は、
前記ジョブエンドシート生成手段で生成したジョブエンドシートを出力する
ことを特徴とする画像出力装置。
【請求項２２】
前記ジョブエンドシート生成手段は、
前記画像出力手段が出力した印刷画像のページに対応する加工画像をジョブエンドシートに添付する
ことを特徴とする請求項２１記載の画像出力装置。
【請求項２３】
印刷ジョブを処理する印刷処理装置および該印刷ジョブを出力する画像出力装置の印刷処理方法において、
前記印刷処理装置は、
入力した画像データに基づいて印刷画像を生成し、
該生成した印刷画像を加工し、
該加工した印刷画像と前記印刷画像との印刷ジョブを作成し、
該作成した前記印刷画像と前記加工した印刷画像との印刷ジョブを前記画像出力装置に送信し、
前記画像出力装置は、
前記印刷処理装置から送信された印刷ジョブを受信し、
該受信した印刷ジョブに前記加工した印刷画像が含まれている場合、該印刷ジョブから該加工印刷画像を抽出し、
前記印刷ジョブに含まれる印刷画像を出力し、
前記印刷画像の出力が完了した際に、前記加工した印刷画像を添付したジョブエンドシートを生成し、
該生成したジョブエンドシートを出力する
ことを特徴とする印刷処理装置および画像出力装置の印刷処理方法。
【請求項２４】
前記印刷処理装置は前記印刷画像を加工する際に、
前記印刷画像の縮小画像を生成し、
該生成した縮小画像と前記印刷画像との印刷ジョブを作成する
ことを特徴とする請求項２３記載の印刷処理装置および画像出力装置の印刷処理方法。
【請求項２５】
前記印刷処理装置は前記印刷画像を加工する際に、
前記印刷画像または前記縮小画像から切出し画像を切り出し、
該切り出した切出し画像と前記印刷画像との印刷ジョブを作成する
ことを特徴とする請求項２４記載の印刷処理装置および画像出力装置の印刷処理方法。
【請求項２６】
前記印刷処理装置は、
前記印刷画像または前記縮小画像から切り出す前記切出し画像の位置、領域、倍率を設定する
ことを特徴とする請求項２５記載の印刷処理装置および画像出力装置の印刷処理方法。
【請求項２７】
前記切出し画像の位置、領域、倍率の設定を指示する
ことを特徴とする請求項２６記載の印刷処理装置および画像出力装置の印刷処理方法。
【請求項２８】
前記印刷画像を生成する際に、前記ジョブエンドシートの生成を指示する
ことを特徴とする請求項２３記載の印刷処理装置および画像出力装置の印刷処理方法。
【請求項２９】
前記画像出力装置は、
前記出力した印刷画像のページに対応する加工画像をジョブエンドシートに添付する
ことを特徴とする請求項２３記載の印刷処理装置および画像出力装置の印刷処理方法。
【請求項３０】
印刷処理装置で処理した印刷ジョブを画像出力装置が出力する印刷処理システムにおいて、
前記印刷処理装置は、
入力した画像データに基づいて印刷画像を生成する印刷画像生成手段と、
前記印刷画像生成手段で生成した印刷画像を加工する印刷画像加工手段と、
前記印刷画像加工手段で加工した印刷画像と前記印刷画像との印刷ジョブを作成する印刷ジョブ作成手段と、
前記印刷ジョブ作成手段で作成した前記印刷画像と前記加工した印刷画像との印刷ジョブを前記画像出力装置に送信する印刷ジョブ送信手段と
を具備し、
前記画像出力装置は、
前記印刷処理装置から送信された印刷ジョブを受信する印刷ジョブ受信手段と、
前記印刷ジョブに含まれる印刷画像を出力する画像出力手段と、
前記印刷ジョブ受信手段で受信した印刷ジョブに前記加工した印刷画像が含まれている場合、該印刷ジョブから該加工した印刷画像を抽出する抽出手段と、
前記画像出力手段における印刷画像の出力が完了した際に、前記抽出手段で抽出した加工印刷画像を添付したジョブエンドシートを生成するジョブエンドシート生成手段と
を具備し、
前記画像出力手段は、
前記ジョブエンドシート生成手段で生成したジョブエンドシートを出力する
ことを特徴とする印刷処理システム。
【請求項３１】
前記印刷画像加工手段は、
前記印刷画像生成手段で生成した印刷画像の縮小画像を生成する縮小画像生成手段
を具備し、
前記印刷ジョブ作成手段は、
前記縮小画像生成手段で生成した縮小画像と前記印刷画像との印刷ジョブを作成する
ことを特徴とする請求項３０記載の印刷処理システム。
【請求項３２】
前記印刷画像加工手段は、
前記印刷画像または前記縮小画像から切出し画像を切り出す画像切出し手段
を具備し、
前記印刷ジョブ作成手段は、
前記画像切出し手段で切り出した切出し画像と前記印刷画像との印刷ジョブを作成する
ことを特徴とする請求項３１記載の印刷処理システム。
【請求項３３】
前記画像切出し手段は、
前記印刷画像または前記縮小画像から切り出す前記切出し画像の位置、領域、倍率を設定する画像切出し設定手段
を具備することを特徴とする請求項３２記載の印刷処理システム。
【請求項３４】
前記切出し設定手段が設定する前記切出し画像の位置、領域、倍率を指示する画像切出し設定指示手段
を更に具備することを特徴とする請求項３３記載の印刷処理システム。
【請求項３５】
前記ジョブエンドシートの生成を指示するジョブエンドシート生成指示手段
を更に具備することを特徴とする請求項３０記載の印刷処理システム。
【請求項３６】
前記ジョブエンドシート生成手段は、
前記画像出力手段が出力した印刷画像のページに対応する加工画像をジョブエンドシートに添付する
ことを特徴とする請求項３０記載の印刷処理システム。
【請求項３７】
画像出力装置で出力する印刷ジョブを処理する印刷処理装置において、
入力した画像データに基づいて印刷画像を生成する印刷画像生成手段と、
前記印刷画像生成手段で生成した印刷画像を加工する印刷画像加工手段と、
前記印刷画像の印刷ジョブを作成する印刷ジョブ作成手段と、
前記印刷画像加工手段で加工した印刷画像と、前記印刷ジョブ作成手段で作成した印刷ジョブとを関連付けて保存する保存手段と、
前記保存手段に保存された印刷ジョブの再印刷に関する制御を行う再印刷制御手段と、
前記加工した印刷画像を表示する表示手段と、
前記再印刷制御手段に対して前記保存手段に保存された印刷ジョブの再印刷を要求する再印刷要求手段と、
前記印刷ジョブを前記画像出力装置に送信する印刷ジョブ送信手段と、
を具備し、
前記再印刷制御手段は、
前記再印刷要求手段から再印刷の要求を受け付けると、前記加工した印刷画像を表示手段に表示する
ことを特徴とする印刷処理装置。
【請求項３８】
前記印刷画像加工手段は、
前記印刷画像生成手段で生成した印刷画像の縮小画像を生成する縮小画像生成手段
を具備することを特徴とする請求項３７記載の印刷処理装置。
【請求項３９】
前記印刷画像加工手段は、
前記印刷画像または前記縮小画像から切出し画像を切り出す画像切出し手段
を具備することを特徴とする請求項３８記載の印刷処理装置。
【請求項４０】
前記画像切出し手段は、
前記印刷画像または前記縮小画像から切り出す前記切出し画像の位置、領域、倍率を設定する画像切出し設定手段
を具備することを特徴とする請求項３９記載の印刷処理装置。
【請求項４１】
前記切出し設定手段が設定する前記切出し画像の位置、領域、倍率を指示する画像切出し設定指示手段
を更に具備することを特徴とする請求項４０記載の印刷処理装置。
【請求項４２】
前記印刷画像加工手段に対して印刷画像の加工を指示する印刷画像加工指示手段
を更に具備することを特徴とする請求項３７記載の印刷処理装置。
【請求項４３】
画像出力装置で出力する印刷ジョブを処理する印刷処理方法において、
入力した画像データに基づいて印刷画像を生成し、
該生成した印刷画像を加工し、
前記印刷画像の印刷ジョブを作成し、
該作成した印刷画像の印刷ジョブを前記画像出力装置に送信し、
前記加工した印刷画像と、前記印刷ジョブとを関連付けて保存し、
該保存された印刷ジョブの再印刷の要求を受け付けると、前記加工した印刷画像を表示する
ことを特徴とする印刷処理方法。
【請求項４４】
前記印刷画像の加工は、
前記印刷画像の縮小画像を生成する
ことを特徴とする請求項４３記載の印刷処理方法。
【請求項４５】
前記印刷画像の加工は、
前記印刷画像または前記縮小画像から切出し画像を切り出す
ことを特徴とする請求項４４記載の印刷処理方法。
【請求項４６】
前記切出し画像を切り出す際に、前記印刷画像または前記縮小画像から切り出す該切出し画像の位置、領域、倍率を設定する
ことを特徴とする請求項４５記載の印刷処理方法。
【請求項４７】
前記切出し画像の位置、領域、倍率の設定を指示する
ことを特徴とする請求項４６記載の印刷処理方法。
【請求項４８】
前記印刷画像の生成の際に該印刷画像の加工を指示する
ことを特徴とする請求項４３記載の印刷処理方法。
【手続補正２】
【補正対象書類名】明細書
【補正対象項目名】発明の名称
【補正方法】変更
【補正の内容】
【発明の名称】印刷処理装置、印刷処理方法、画像出力装置、印刷処理装置および画像出力装置の印刷処理方法、印刷処理システム
【手続補正３】
【補正対象書類名】明細書
【補正対象項目名】０００１
【補正方法】変更
【補正の内容】
【０００１】
本発明は、印刷処理装置、印刷処理方法、画像出力装置、印刷処理装置および画像出力装置の印刷処理方法、印刷処理システムに関し、特に、ホストから受け付けた印刷データを印刷処理して印刷装置に送出する印刷処理装置、印刷処理方法、画像出力装置、印刷処理装置および画像出力装置の印刷処理方法、印刷処理システムに関する。
【手続補正４】
【補正対象書類名】明細書
【補正対象項目名】０００９
【補正方法】変更
【補正の内容】
【０００９】
そこで、本発明は、上記の問題点を鑑みて、印刷データの印刷の完了または再印刷の際の印刷データの指定をユーザが容易に確認できる印刷処理装置、印刷処理方法、画像出力装置、印刷処理装置および画像出力装置の印刷処理方法、印刷処理システムを提供することを目的とする。
【手続補正５】
【補正対象書類名】明細書
【補正対象項目名】００５７
【補正方法】削除
【補正の内容】
【手続補正６】
【補正対象書類名】明細書
【補正対象項目名】００５８
【補正方法】削除
【補正の内容】
【手続補正７】
【補正対象書類名】明細書
【補正対象項目名】００５９
【補正方法】削除
【補正の内容】
【手続補正８】
【補正対象書類名】明細書
【補正対象項目名】００６０
【補正方法】削除
【補正の内容】
【手続補正９】
【補正対象書類名】明細書
【補正対象項目名】００６１
【補正方法】削除
【補正の内容】
【手続補正１０】
【補正対象書類名】明細書
【補正対象項目名】００６２
【補正方法】削除
【補正の内容】